(57)【要約】【課題】情報を適切に送信すること。【解決手段】物体の加重変化を検出する加重検出部１１から加重データを取得する加重データ取得部２１と、物体の加重変化があった時間を計測するタイマ１２から、物体の加重変化があった時間の時間情報を取得する時間情報取得部２２と、物体の現在の位置情報を取得する位置情報取得部２３と、加重データ取得部２１が取得した物体の加重変化を示す加重データと、時間情報取得部２２が取得した物体の加重変化があった時間を示す時間情報と、位置情報取得部２３が取得した位置情報とを解析した解析結果を解析データとして出力する解析部２４と、解析部２４からの解析データを送信部１５を介して外部装置へ送信する解析データ送信部２５とを備える。【選択図】図２
2020159769.tif 000002
【特許請求の範囲】
【請求項１】
物体の加重変化を検出する加重検出部から加重データを取得する加重データ取得部と、
前記物体の加重変化があった時間を計測する時間計測部から、前記物体の加重変化があった時間の時間情報を取得する時間情報取得部と、
前記物体の現在の位置情報を取得する位置情報取得部と、
前記加重データ取得部が取得した前記物体の加重変化を示す加重データと、前記時間情報取得部が取得した前記物体の加重変化があった時間を示す時間情報と、前記位置情報取得部が取得した前記位置情報とを解析し、降雨に関する解析を行う解析部と、
前記解析部の解析結果を示す解析データを、送信部を介して外部装置へ送信する解析データ送信部と、
を備えることを特徴とする情報送信制御装置。
【請求項２】
前記解析部は、前記加重データ取得部が取得した前記物体の加重変化を示す加重データと、記時間情報取得部が取得した前記物体の加重変化があった時間を示す時間情報とから、降雨が開始された時間を解析する、
請求項１に記載の情報送信制御装置。
【請求項３】
物体の加重変化を示す加重データと、前記物体の加重変化があった時間を示す時間情報と、物体の現在の位置情報とに基づいて解析された、降雨に関する解析データを、受信部を介して取得する解析データ取得部と、
前記解析データ取得部が取得した前記解析データを地図に重畳して重畳地図情報を生成する地図情報生成部と、
前記解析データ取得部が取得した前記解析データと、前記地図情報生成部が生成した前記重畳地図情報とを集計解析して集計データを生成する集計解析部と、
前記集計解析部が生成した集計データを、送信部を介して送信する集計データ送信部と、
を備えることを特徴とする情報受信制御装置。
【請求項４】
前記集計解析部は、複数の情報送信装置が送信した前記解析データと、前記地図情報生成部が生成した前記重畳地図情報とを集計解析して、降雨の開始時間の情報と、降雨の開始した地点の情報とを含む集計データを生成する、
請求項３に記載の情報受信制御装置。
【請求項５】
請求項１または２に記載の情報送信制御装置と、
物体の加重変化を検出する加重検出部と、
前記物体の加重変化があった時間を計測する時間計測部と、
送信部と、
請求項３または請求項４に記載の情報受信制御装置から送信される集計データを受信する受信部と、
を備えることを特徴とする情報送信装置。
【請求項６】
請求項５に記載の情報送信装置と、
請求項３または４に記載の情報受信制御装置を含む情報受信装置と、
を備えることを特徴とする情報集計解析システム。
【請求項７】
物体の加重変化を検出する加重検出部から加重データを取得する加重データ取得ステップと、
前記物体の加重変化があった時間を計測する時間計測部から、前記物体の加重変化があった時間の時間情報を取得する時間情報取得ステップと、
前記物体の現在の位置情報を取得する位置情報取得ステップと、
前記加重データ取得ステップによって取得した前記物体の加重変化を示す加重データと、前記時間情報取得ステップによって取得した前記物体の加重変化があった時間を示す時間情報と、前記位置情報取得ステップによって取得した前記位置情報とを解析し、降雨に関する解析を行う解析ステップと、
前記解析ステップにおける解析結果を示す解析データを、送信部を介して外部装置へ送信する解析データ送信ステップと、
を含む情報送信制御方法。
【請求項８】
物体の加重変化を検出する加重検出部から加重データを取得する加重データ取得ステップと、
前記物体の加重変化があった時間を計測する時間計測部から、前記物体の加重変化があった時間の時間情報を取得する時間情報取得ステップと、
前記物体の現在の位置情報を取得する位置情報取得ステップと、
前記加重データ取得ステップによって取得した前記物体の加重変化を示す加重データと、前記時間情報取得ステップによって取得した前記物体の加重変化があった時間を示す時間情報と、前記位置情報取得ステップによって取得した前記位置情報とを解析し、降雨に関する解析を行う解析ステップと、
前記解析ステップにおける解析結果を示す解析データを、送信部を介して外部装置へ送信する解析データ送信ステップと、
を情報送信制御装置として動作するコンピュータに実行させるためのプログラム。
【請求項９】
物体の加重変化を示す加重データと、前記物体の加重変化があった時間を示す時間情報と、物体の現在の位置情報とに基づいて解析された、降雨に関する解析データを、受信部を介して取得する解析データ取得ステップと、
前記解析データ取得ステップによって取得した前記解析データを地図に重畳して重畳地図情報を生成する地図情報生成ステップと、
前記解析データ取得ステップによって取得した前記解析データと、前記地図情報生成ステップによって生成した前記重畳地図情報とを集計解析して集計データを生成する集計解析ステップと、
前記集計解析ステップによって生成した集計データを、送信部を介して送信する集計データ送信ステップと、
を含む情報受信制御方法。
【請求項１０】
物体の加重変化を示す加重データと、前記物体の加重変化があった時間を示す時間情報と、物体の現在の位置情報とに基づいて解析された、降雨に関する解析データを、受信部を介して取得する解析データ取得ステップと、
前記解析データ取得ステップによって取得した前記解析データを地図に重畳して重畳地図情報を生成する地図情報生成ステップと、
前記解析データ取得ステップによって取得した前記解析データと、前記地図情報生成ステップによって生成した前記重畳地図情報とを集計解析して集計データを生成する集計解析ステップと、
前記集計解析ステップによって生成した集計データを、送信部を介して送信する集計データ送信ステップと、
を情報受信制御装置として動作するコンピュータに実行させるためのプログラム。
【発明の詳細な説明】
【技術分野】
【０００１】
本発明は、情報送信制御装置、情報受信制御装置、情報送信装置、情報集計解析システム、情報送信制御方法、情報受信制御方法およびプログラムに関する。
【背景技術】
【０００２】
移動体のワイパの画像に基づいて、天候情報を生成する技術が知られている（例えば、特許文献１参照。）。
【先行技術文献】
【特許文献】
【０００３】
【特許文献１】特開２０１８−１７３４２７号公報
【発明の概要】
【発明が解決しようとする課題】
【０００４】
移動体から取得した情報に基づいて、天候情報を生成する場合、移動体は移動しているので、降雨地点の境界を正確に判定することが難しいおそれがある。また、移動体の位置が偏っている場合にも、各地の天候情報を正確に生成することが難しいおそれがある。さらに、移動体が走行可能な道路から外れた地点では、天候情報を正確に生成することが難しいおそれがある。
【０００５】
本発明は、上記に鑑みてなされたものであって、情報を適切に送信することを目的とする。
【課題を解決するための手段】
【０００６】
上述した課題を解決し、目的を達成するために、本発明に係る情報送信制御装置は、物体の加重変化を検出する加重検出部から加重データを取得する加重データ取得部と、前記物体の加重変化があった時間を計測する時間計測部から、前記物体の加重変化があった時間の時間情報を取得する時間情報取得部と、前記物体の現在の位置情報を取得する位置情報取得部と、前記加重データ取得部が取得した前記物体の加重変化を示す加重データと、前記時間情報取得部が取得した前記物体の加重変化があった時間を示す時間情報と、前記位置情報取得部が取得した前記位置情報とを解析し、降雨に関する解析を行う解析部と、前記解析部の解析結果を示す解析データを、送信部を介して外部装置へ送信する解析データ送信部とを備えることを特徴とする。
【０００７】
本発明に係る情報受信制御装置は、物体の加重変化を示す加重データと、前記物体の加重変化があった時間を示す時間情報と、物体の現在の位置情報とに基づいて解析された、降雨に関する解析データを、受信部を介して取得する解析データ取得部と、前記解析データ取得部が取得した前記解析データを地図に重畳して重畳地図情報を生成する地図情報生成部と、前記解析データ取得部が取得した前記解析データと、前記地図情報生成部が生成した前記重畳地図情報とを集計解析して集計データを生成する集計解析部と、前記集計解析部が生成した集計データを、送信部を介して送信する集計データ送信部とを備えることを特徴とする。
【０００８】
本発明に係る情報送信装置は、上記の情報送信装置と、物体の加重変化を検出する加重検出部と、前記物体の加重変化があった時間を計測する時間計測部と、送信部と、上記の情報受信制御装置から送信される集計データを受信する受信部とを備えることを特徴とする。
【０００９】
本発明に係る情報集計解析システムは、上記の情報送信装置と、上記の情報受信制御装置を含む情報受信装置とを備えることを特徴とする。
【００１０】
本発明に係る情報送信制御方法は、物体の加重変化を検出する加重検出部から加重データを取得する加重データ取得ステップと、前記物体の加重変化があった時間を計測する時間計測部から、前記物体の加重変化があった時間の時間情報を取得する時間情報取得ステップと、前記物体の現在の位置情報を取得する位置情報取得ステップと、前記加重データ取得ステップによって取得した前記物体の加重変化を示す加重データと、前記時間情報取得ステップによって取得した前記物体の加重変化があった時間を示す時間情報と、前記位置情報取得ステップによって取得した前記位置情報とを解析し、降雨に関する解析を行う解析ステップと、前記解析ステップにおける解析結果を示す解析データを、送信部を介して外部装置へ送信する解析データ送信ステップとを含む。
【００１１】
本発明に係るプログラムは、物体の加重変化を検出する加重検出部から加重データを取得する加重データ取得ステップと、前記物体の加重変化があった時間を計測する時間計測部から、前記物体の加重変化があった時間の時間情報を取得する時間情報取得ステップと、前記物体の現在の位置情報を取得する位置情報取得ステップと、前記加重データ取得ステップによって取得した前記物体の加重変化を示す加重データと、前記時間情報取得ステップによって取得した前記物体の加重変化があった時間を示す時間情報と、前記位置情報取得ステップによって取得した前記位置情報とを解析し、降雨に関する解析を行う解析ステップと、前記解析ステップにおける解析結果を示す解析データを、送信部を介して外部装置へ送信する解析データ送信ステップとを情報送信制御装置として動作するコンピュータに実行させる。
【００１２】
本発明に係る情報受信制御方法は、物体の加重変化を示す加重データと、前記物体の加重変化があった時間を示す時間情報と、物体の現在の位置情報とに基づいて解析された、降雨に関する解析データを、受信部を介して取得する解析データ取得ステップと、前記解析データ取得ステップによって取得した前記解析データを地図に重畳して重畳地図情報を生成する地図情報生成ステップと、前記解析データ取得ステップによって取得した前記解析データと、前記地図情報生成ステップによって生成した前記重畳地図情報とを集計解析して集計データを生成する集計解析ステップと、前記集計解析ステップによって生成した集計データを、送信部を介して送信する集計データ送信ステップとを含む。
【００１３】
本発明に係るプログラムは、物体の加重変化を示す加重データと、前記物体の加重変化があった時間を示す時間情報と、物体の現在の位置情報とに基づいて解析された、降雨に関する解析データを、受信部を介して取得する解析データ取得ステップと、前記解析データ取得ステップによって取得した前記解析データを地図に重畳して重畳地図情報を生成する地図情報生成ステップと、前記解析データ取得ステップによって取得した前記解析データと、前記地図情報生成ステップによって生成した前記重畳地図情報とを集計解析して集計データを生成する集計解析ステップと、前記集計解析ステップによって生成した集計データを、送信部を介して送信する集計データ送信ステップとを情報受信制御装置として動作するコンピュータに実行させる。
【発明の効果】
【００１４】
本発明によれば、情報を適切に送信することができるという効果を奏する。
【図面の簡単な説明】
【００１５】
【図１】図１は、第一実施形態に係る情報集計解析システムの概略を説明する概略図である。
【図２】図２は、第一実施形態に係る情報送信装置の構成例を示すブロック図である。
【図３】図３は、第一実施形態に係る情報受信装置の構成例を示すブロック図である。
【図４】図４は、第一実施形態に係る情報送信装置における処理の流れを示すフローチャートである。
【図５】図５は、第一実施形態に係る情報受信装置における処理の流れを示すフローチャートである。
【発明を実施するための形態】
【００１６】
以下に添付図面を参照して、本発明に係る情報送信制御装置、情報受信制御装置、情報送信装置、情報集計解析システム、情報送信制御方法、情報受信制御方法およびプログラムの実施形態を詳細に説明する。なお、以下の実施形態により本発明が限定されるものではない。
【００１７】
［第一実施形態］
図１は、第一実施形態に係る情報集計解析システムの概略を説明する概略図である。図２は、第一実施形態に係る情報送信装置の構成例を示すブロック図である。図３は、第一実施形態に係る情報受信装置の構成例を示すブロック図である。情報集計解析システム１は、クライアント側の端末装置として機能する複数の情報送信装置１０と、サーバ装置として機能する情報受信装置３０とを有する。
【００１８】
本実施形態では、情報集計解析システム１は、都市部のような住宅が密集している地域における降雨に関する集計データを生成するものとする。住宅が密集している地域では、情報送信装置１０を数多く配置可能である。
【００１９】
情報送信装置１０は、物体としての物干し台１００に干した洗濯物の加重変化（以下物干し台１００の加重）を示す加重データと、物干し台１００の加重変化があった時間を示す時間情報と、位置情報とを解析する。情報送信装置１０は、解析結果である解析データを情報受信装置３０へ送信する。情報送信装置１０は、例えば、各住宅の物干し台、雨どい、または、屋外の所望の位置に設置可能である。情報送信装置１０は、加重検出部１１と、タイマ（時間計測部）１２と、ＧＰＳ（Ｇｌｏｂａｌ  Ｐｏｓｉｔｉｏｎｉｎｇ  Ｓｙｓｔｅｍ）受信部１３と、送信部１５と受信部１６とを有する通信部１４と、表示部１７と、制御部（情報送信制御装置）２０とを備える。
【００２０】
加重検出部１１は、物体の加重変化を検出する加重センサである。本実施形態では、加重検出部１１は、物干し台１００の加重変化を検出する。本実施形態では、加重検出部１１は、物干し台１００において、物干し台１００に干される洗濯物による加重変化を検出可能な位置に配置される。加重検出部１１は、物干し台１００に洗濯物が干されていないときの加重をゼロとして検出する。加重検出部１１は、洗濯物が干されたときの加重を正の値で検出する。加重検出部１１は、例えば、降雨時などに、物干し台１００から洗濯物が取り込まれたとき、加重ゼロを検出する。加重検出部１１は、例えば、降雨後に、雨が止んだ時などに、一旦取り込まれた洗濯物が、物干し台１００に再び干されたとき、加重ゼロから正の値への増加を検出する。また、加重検出部１１は、降雨によって、物干し台１００および干されている洗濯物に雨水が付着すると、洗濯物が干されたときに比べて加重が増加する。加重検出部１１は、検出した加重データを加重データ取得部２１へ出力する。
【００２１】
タイマ１２は、加重検出部１１が検出する物体の加重に変化があった時間を計測する。例えば、タイマ１２は、物干し台１００に洗濯物が干された時間、言い換えると、加重がゼロから増加した時間を計測する。例えば、タイマ１２は、物干し台１００から洗濯物が取り込まれた時間、言い換えると、加重が正の値からゼロに減少した時間を計測する。例えば、タイマ１２は、物干し台１００に洗濯物が干された時間、言い換えると、加重がゼロから正の値に増加した時間を計測してもよい。例えば、タイマ１２は、物干し台１００および干されている洗濯物に雨水が付着した時間、言い換えると、加重が増加した時間を計測してもよい。タイマ１２は、計測した時間情報を時間情報取得部２２へ出力する。
【００２２】
ＧＰＳ受信部１３は、図示しないＧＰＳ衛星から電波を受信する。ＧＰＳ受信部１３は、受信した電波の信号を位置情報取得部２３へ出力する。
【００２３】
通信部１４は、通信ユニットである。通信部１４は、情報受信装置３０とデータを送受信可能に接続する。通信部１４は、送信部１５と、受信部１６とを有する。
【００２４】
表示部１７は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含むディスプレイである。表示部１７は、制御部２０の表示制御部２７から出力された制御信号に基づいて、情報を表示する。本実施形態では、表示部１７は、情報受信装置３０における解析結果を示す集計データを表示する。
【００２５】
制御部２０は、例えば、ＣＰＵ（Ｃｅｎｔｒａｌ  Ｐｒｏｃｅｓｓｉｎｇ  Ｕｎｉｔ）などで構成された演算処理装置（制御装置）である。制御部２０は、図示しない記憶部に記憶されているプログラムをメモリにロードして、プログラムに含まれる命令を実行する。制御部２０は、加重データ取得部２１と、時間情報取得部２２と、位置情報取得部２３と、解析部２４と、解析データ送信部２５と、通信制御部２６と、表示制御部２７とを有する。制御部２０には図示しない内部メモリが含まれ、内部メモリは制御部２０におけるデータの一時記憶などに用いられる。
【００２６】
加重データ取得部２１は、加重検出部１１から加重データを取得する。加重データ取得部２１は、取得した加重データを図示しない記憶部に記憶する。
【００２７】
時間情報取得部２２は、物体の加重変化があった時間として、タイマ１２から時間情報を取得する。本実施形態では、時間情報取得部２２は、物干し台１００の加重変化があった時間として、タイマ１２から時間情報を取得する。時間情報取得部２２は、取得した時間情報を図示しない記憶部に記憶する。
【００２８】
位置情報取得部２３は、情報送信装置１０の現在位置の位置情報を取得する。言い換えると、位置情報取得部２３は、物体の現在位置の位置情報を取得する。本実施形態では、位置情報取得部２３は、物干し台１００の現在位置の位置情報を取得する。位置情報取得部２３は、ＧＰＳ受信部１３が受信した電波に基づいて、情報送信装置１０の現在位置の位置情報を公知の方法によって算出する。位置情報取得部２３は、取得した位置情報を図示しない記憶部に記憶する。
【００２９】
解析部２４は、加重データ取得部２１が取得した物体の加重変化を示す加重データと、時間情報取得部２２が取得した物体の加重変化があった時間を示す時間情報と、位置情報取得部２３が取得した位置情報とを解析し、降雨に関する解析を行う。解析部２４は、解析結果を示す解析データを出力する。本実施形態では、解析部２４は、加重データ取得部２１が取得した物干し台１００の加重変化を示す加重データと、時間情報取得部２２が取得した物干し台１００の加重変化があった時間を示す時間情報と、位置情報取得部２３が取得した位置情報とを解析した解析結果を解析データとして出力する。
【００３０】
解析部２４は、加重データ取得部２１が取得した物体の加重変化を示す加重データと、時間情報取得部２２が取得した物体の加重変化があった時間を示す時間情報とから、降雨が開始された時間を解析してもよい。本実施形態では、解析部２４は、加重データ取得部２１が取得した物干し台１００の加重変化を示す加重データと、時間情報取得部２２が取得した物干し台１００の加重変化があった時間を示す時間情報とから、降雨が開始された時間を解析してもよい。例えば、解析部２４は、加重データが正の値からゼロに減少した時間から、情報送信装置１０の位置情報の地点において、当該時間に降雨が開始されたと解析する。解析部２４は、加重データが正の値からゼロに減少した時間が、情報送信装置１０の位置情報の地点において洗濯物の平均取り込み時間より遅い場合、降雨が開始されたと解析しないようにしてもよい。洗濯物の平均取り込み時間は、例えば、日没時間としてもよい。洗濯物の平均取り込み時間より遅い時間である場合、降雨に関係なく、洗濯物を取り込んだ可能性があるためである。
【００３１】
解析部２４は、加重データ取得部２１が取得した物体の加重変化を示す加重データと、時間情報取得部２２が取得した物体の加重変化があった時間を示す時間情報とから、雨が止んだ時間を解析してもよい。本実施形態は、解析部２４は、加重データ取得部２１が取得した物干し台１００の加重変化を示す加重データと、時間情報取得部２２が取得した物干し台１００の加重変化があった時間を示す時間情報とから、雨が止んだ時間を解析してもよい。例えば、解析部２４は、加重データがゼロから正の値に増加した時間から、情報送信装置１０の位置情報の地点では当該時間より前に雨が上がったと解析する。解析部２４は、日没から日出までの夜間に、加重変化があった場合、解析を行わないようにしてもよい。夜間に物干し台１００に洗濯物を干した場合、洗濯物を干していることと雨が降っていないこととが連動してない可能性が高いと推測され、降雨によって洗濯物が取り込まれない可能性が高いと推測されるためである。
【００３２】
このように、解析部２４は、解析によって、情報送信装置１０の現在位置において、降雨が開始された時間と雨が止んだ時間との少なくともどちらかを示す解析データを得る。解析データには、情報送信装置１０の現在位置の位置情報と、降雨が開始された時間と雨が止んだ時間との少なくともどちらかを示す時間情報とを含む。
【００３３】
解析データ送信部２５は、解析部２４の解析結果を示す解析データを、外部装置である情報受信装置３０へ送信する。解析データ送信部２５は、例えば、解析部２４が解析を行うたびに、解析データを、通信制御部２６を介して情報受信装置３０へ送信する。
【００３４】
通信制御部２６は、通信部１４を介した通信を制御する。通信制御部２６は、通信部１４を介して情報受信装置３０と通信する。
【００３５】
表示制御部２７は、表示部１７における情報の表示を制御する。より詳しくは、表示制御部２７は、受信部１６を介して情報受信装置３０から受信した、情報受信装置３０における解析結果を示す集計データを表示する映像信号または画像信号を出力する。
【００３６】
情報受信装置３０は、複数の情報送信装置１０から取得した解析データと、解析データを地図に重畳した重畳地図情報とを集計解析して降雨に関する集計データを生成する。情報受信装置３０は、地図情報記憶部３１と、通信部３２と、制御部４０とを有する。
【００３７】
地図情報記憶部３１は、地図情報生成部４３が使用する地図情報を記憶する。地図情報記憶部３１は、例えば、フラッシュメモリ（Ｆｌａｓｈ  Ｍｅｍｏｒｙ）などの半導体メモリ素子、または、ハードディスク、光ディスクなどである。地図情報記憶部３１は、通信部３２を介して無線接続される外部記憶部であってもよい。
【００３８】
通信部３２は、通信ユニットである。通信部３２は、情報送信装置１０とデータを送受信可能に接続する。通信部３２は、送信部３３と、受信部３４とを有する。
【００３９】
制御部４０は、例えば、ＣＰＵなどで構成された演算処理装置（制御装置）である。制御部４０は、図示しない記憶部に記憶されているプログラムをメモリにロードして、プログラムに含まれる命令を実行する。制御部４０は、解析データ取得部４１と、地図情報取得部４２と、地図情報生成部４３と、集計解析部４４と、集計データ送信部４５と、通信制御部４６とを有する。制御部４０には図示しない内部メモリが含まれ、内部メモリは制御部４０におけるデータの一時記憶などに用いられる。
【００４０】
解析データ取得部４１は、物体の加重変化を示す加重データと、物体の加重変化があった時間を示す時間情報と、物体の現在の位置情報とに基づいて解析された、降雨に関する解析データを、受信部３４を介して取得する。本実施形態では、解析データ取得部４１は、受信部３４を介して、情報送信装置１０の解析データ送信部２５が送信した解析データを取得する。解析データ取得部４１は、取得した解析データを記憶部に記憶する。
【００４１】
地図情報取得部４２は、地図情報記憶部３１に記憶した地図情報を取得する。
【００４２】
地図情報生成部４３は、解析データ取得部４１が取得した、複数の情報送信装置１０から取得した解析データを、地図情報取得部４２が取得した地図情報の地図に重畳して重畳地図情報を生成する。例えば、重畳地図情報には、地図上の地点ごとに、降雨が開始された時間の情報が重畳される。例えば、重畳地図情報には、地図上の地点ごとに、雨が止んだ時間の情報が重畳される。
【００４３】
集計解析部４４は、解析データ取得部４１が取得した解析データと、地図情報生成部４３が生成した重畳地図情報とを集計解析して集計データを生成する。集計解析部４４は、複数の情報送信装置１０が送信した解析データと、地図情報生成部４３が生成した重畳地図情報とを集計解析して、降雨の開始時間の情報と、降雨の開始した地点の情報とを含む集計データを生成する。
【００４４】
集計データは、地図上において、降雨が開始した時間と雨が止んだ時間との少なくともどちらかを示す。集計データは、地図上において、降雨が開始する予測時間と雨が止む予測時間との少なくともどちらかを示してもよい。
【００４５】
集計解析部４４は、重畳地図情報から、複数の解析データにおいて加重データが正の値からゼロに減少した時間から、情報送信装置１０の位置情報の地点を含む地域では当該時間に降雨が開始したと解析可能である。集計解析部４４は、重畳地図情報から、複数の解析データにおいて加重データがゼロから正の値に増加した時間から、情報送信装置１０の位置情報の地点を含む地域では当該時間に雨が上がったと解析可能である。
【００４６】
集計解析部４４は、重畳地図情報において、解析データを取得した情報送信装置１０が地図上に点在している場合、取得した解析データに基づいて、情報送信装置１０が存在しない地点においても、例えば、半径数１００ｍ以内に位置する情報送信装置１０の解析データと重畳地図情報とから、降雨が開始する予測時間と、雨が止む予測時間とを示してもよい。
【００４７】
集計解析部４４は、重畳地図情報から、降雨を開始した地点の時間経過による移り変わりから、周辺地域における降雨を開始する予測時間を解析可能である。集計解析部４４は、重畳地図情報から、雨が止んだ地点の時間経過による移り変わりから、周辺地域における雨が止む予測時間を解析可能である。
【００４８】
集計解析部４４は、複数の解析データのうち、他の解析データに比べて時間情報に著しいズレを有し、誤りである可能性が高い解析データは、集計解析から除外することが好ましい。これにより、例えば、降雨時に、洗濯物を取り込み忘れた場合の解析データなどが除外される。
【００４９】
また、降雨時の洗濯物の取り込みは、降雨があった地域内の各物干し台１００で一斉に行われる。これに対して、晴天時の洗濯物の取り込みは、降雨時に比べて、同じ地域内の各物干し台１００であってもばらばらに行われる傾向がある。このように、集計解析部４４は、複数の解析データの傾向によって、降雨時の洗濯物の取り込みであるか、それ以外であるかを切り分けることが可能である。
【００５０】
集計データ送信部４５は、集計解析部４４の解析結果を示す集計データを情報送信装置１０へ送信する。集計データ送信部４５は、集計解析部４４の解析結果を示す集計データを、情報送信装置１０のユーザが使用している、例えば、スマートフォンなどのような携帯用電子機器、または、情報送信装置１０のユーザが乗車している車両の車載機器へ送信してもよい。また情報送信装置１０のユーザ以外でも、集計データ送信部４５に登録していれば、携帯用電子機器、または車両の車載機器へ送信してもよい。集計データ送信部４５は、例えば、集計解析部４４が解析を行うたびに、集計データを、通信制御部４６を介して情報送信装置１０、携帯用電子機器および車載機器へ送信する。
【００５１】
集計データ送信部４５は、地図上において雨の降り始めの時間を表示した重畳地図情報を送信してもよい。集計データ送信部４５は、例えば、「○○町〇丁目では、５分後に雨が降り始めることが予測されています」といった文字情報のテーブルを事前に持ち、その文字情報を送信してもよい。
【００５２】
通信制御部４６は、通信部３２を介した通信を制御する。通信制御部４６は、通信部３２を介して情報送信装置１０と通信する。
【００５３】
次に、図４を用いて、情報送信装置１０における処理の流れについて説明する。図４は、第一実施形態に係る情報送信装置における処理の流れを示すフローチャートである。
【００５４】
制御部２０は、加重データ取得部２１によって、加重検出部１１から加重データを取得する(ステップＳ１０１)。制御部２０は、ステップＳ１０２に進む。
【００５５】
制御部２０は、時間情報取得部２２によって、物干し台１００の加重変化があった時間として、タイマ１２から時間情報を取得する(ステップＳ１０２)。制御部２０は、ステップＳ１０３へ進む。
【００５６】
制御部２０は、位置情報取得部２３によって、物干し台１００の現在位置の位置情報する(ステップＳ１０３)。制御部２０は、ステップＳ１０４へ進む。
【００５７】
制御部２０は、解析部２４によって、解析する(ステップＳ１０４)。より詳しくは、制御部２０は、解析部２４によって、加重データ取得部２１が取得した物干し台１００の加重変化を示す加重データと、時間情報取得部２２が取得した物干し台１００の加重変化があった時間を示す時間情報と、位置情報取得部２３が取得した位置情報とを解析した解析結果を解析データとして出力する。制御部２０は、ステップＳ１０５へ進む。
【００５８】
制御部２０は、解析データ送信部２５によって、解析部２４の解析結果を示す解析データを情報受信装置３０へ送信する(ステップＳ１０５)。制御部２０は、処理を終了する。
【００５９】
次に、図５を用いて、情報受信装置３０における処理の流れについて説明する。図５は、第一実施形態に係る情報受信装置における処理の流れを示すフローチャートである。
【００６０】
制御部２０は、解析データ取得部４１によって、受信部３４を介して、情報送信装置１０の解析データ送信部２５が送信した解析データを取得する(ステップＳ１１１)。制御部２０は、ステップＳ１１２に進む。
【００６１】
制御部４０は、地図情報取得部４２によって、地図情報記憶部３１に記憶した地図情報を取得する  (ステップＳ１１２)。制御部２０は、ステップＳ１１３に進む。
【００６２】
制御部４０は、地図情報生成部４３によって、解析データ取得部４１が取得した解析データを、地図情報取得部４２が取得した地図情報の地図に重畳して重畳地図情報を生成する  (ステップＳ１１３)。制御部２０は、ステップＳ１１４に進む。
【００６３】
制御部４０は、集計解析部４４によって、解析データ取得部４１が取得した解析データと、地図情報生成部４３が生成した重畳地図情報とを集計解析して集計データを生成する(ステップＳ１１４)。制御部２０は、ステップＳ１１５へ進む。
【００６４】
制御部４０は、集計データ送信部４５によって、集計解析部４４の解析結果を示す集計データを情報送信装置１０へ送信する(ステップＳ１１５)。制御部２０は、処理を終了する。
【００６５】
このようにして、情報集計解析システム１では、情報送信装置１０が、物体としての物干し台１００の加重変化を示す加重データと、物干し台１００の加重変化があった時間を示す時間情報と、位置情報とを解析する。より詳しくは、情報送信装置１０が、降雨による物干し台１００の加重変化を示す加重データと、物干し台１００の加重変化があった時間を示す時間情報と、位置情報とを解析する。情報送信装置１０が、解析結果である解析データを情報受信装置３０へ送信する。
【００６６】
情報集計解析システム１では、情報受信装置３０が、情報送信装置１０から取得した解析データと、解析データを地図に重畳した地図情報とを集計解析して集計データを生成する。より詳しくは、情報受信装置３０が、解析データと、解析データを地図に重畳した地図情報とを集計解析して降雨に関する集計データを生成する。
【００６７】
上述したように、本実施形態では、情報送信装置１０が、物干し台１００の加重変化を示す加重データと、物干し台１００の加重変化があった時間を示す時間情報と、位置情報とを解析することができる。より詳しくは、本実施形態では、情報送信装置１０が、降雨による物干し台１００の加重変化を示す加重データと、物干し台１００の加重変化があった時間を示す時間情報と、位置情報とを解析することができる。本実施形態では、情報送信装置１０が、解析結果である解析データを情報受信装置３０へ送信することができる。
【００６８】
本実施形態では、物干し台１００の加重変化を示す加重データを使用するので、実際に降雨があったか否かを正確に解析することができる。本実施形態によれば、高精度な解析データを得ることができる。
【００６９】
本実施形態では、都市部のような住宅が密集している地域において、情報送信装置１０を数多く配置することができるので、より多くの解析データを情報受信装置３０へ送信することができる。
【００７０】
本実施形態では、情報受信装置３０が、情報送信装置１０から取得した解析データと、解析データを地図に重畳した地図情報とを集計解析して集計データを生成することができる。より詳しくは、本実施形態では、情報受信装置３０が、解析データと、解析データを地図に重畳した地図情報とを集計解析して降雨に関する集計データを生成することができる。
【００７１】
本実施形態では、物干し台１００の加重変化を示す加重データに基づいた高精度な解析データを使用することにより、高精度な集計データを得ることができる。
【００７２】
本実施形態では、物干し台１００の加重変化を示す加重データに基づいた高精度な解析データから集計データを生成するので、降雨地点の境界を正確に解析することができる。
【００７３】
本実施形態では、都市部のような住宅が密集している地域において、より多くの解析データを取得することができるので、より正確な集計データを生成することができる。
【００７４】
［第二実施形態］
情報集計解析システム１は、基本的な構成は第一実施形態の情報集計解析システム１と同様である。以下の説明においては、情報集計解析システム１と同様の構成要素には、同一の符号または対応する符号を付し、その詳細な説明は省略する。情報集計解析システム１は、情報送信装置１０の解析部２４における処理と、情報受信装置３０の集計解析部４４と集計データ送信部４５とにおける処理とが、第一実施形態と異なる。
【００７５】
解析部２４は、加重データ取得部２１が取得した物体としての物干し台１００の加重変化を示す加重データと、時間情報取得部２２が取得した物干し台１００の加重変化があった時間を示す時間情報と、位置情報取得部２３が取得した位置情報とを解析して、例えば、１分程度の短時間で、物干し台１００の加重が所定値以上、増加したことを示す解析データを出力する。例えば、ゲリラ豪雨が発生した場合、物干し台１００に干されていた洗濯物は、取り込みが間に合わず、短時間で、大量の雨水を含む。
【００７６】
集計解析部４４は、解析データ取得部４１が取得した解析データと、地図情報生成部４３が生成した重畳地図情報とを集計解析して、ゲリラ豪雨が開始した時間と、ゲリラ豪雨が発生している地域を示す集計データを生成する。
【００７７】
集計解析部４４は、重畳地図情報から、ゲリラ豪雨が開始した地点の時間経過による移り変わりから、周辺地域におけるゲリラ豪雨が開始する予測時間を解析可能である。
【００７８】
集計データ送信部４５は、集計解析部４４のゲリラ豪雨に関する集計データを情報送信装置１０へ送信する。集計データ送信部４５は、地図上においてゲリラ豪雨の開始時間と、地域とを表示した重畳地図情報を送信してもよい。集計データ送信部４５は、例えば、「○○町〇丁目では、５分後にゲリラ豪雨が予測されています」といった文字情報のテーブルを事前に持ち、その文字情報を送信してもよい。
【００７９】
このようにして、情報集計解析システム１は、情報送信装置１０が、ゲリラ豪雨によって物干し台１００の加重が短時間に増加する加重変化を示す加重データと、物干し台１００の加重変化があった時間を示す時間情報と、位置情報とを解析する。
【００８０】
情報集計解析システム１では、情報受信装置３０が、ゲリラ豪雨時の解析データと、解析データを地図に重畳した地図情報とを集計解析してゲリラ豪雨に関する集計データを生成する。
【００８１】
上述したように、本実施形態では、情報送信装置１０が、ゲリラ豪雨によって物干し台１００の加重が短時間に増加する加重変化を示す加重データと、物干し台１００の加重変化があった時間を示す時間情報と、位置情報とを解析することができる。
【００８２】
本実施形態では、情報受信装置３０が、ゲリラ豪雨時の解析データと、解析データを地図に重畳した地図情報とを集計解析してゲリラ豪雨に関する集計データを生成することができる。
【００８３】
さて、これまで本発明に係る情報集計解析システム１について説明したが、上述した実施形態以外にも種々の異なる形態にて実施されてよいものである。
【００８４】
図示した情報集計解析システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００８５】
情報集計解析システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００８６】
上記した構成要素には、当業者が容易に想定できるもの、実質的に同一のものを含む。さらに、上記した構成は適宜組み合わせが可能である。また、本発明の要旨を逸脱しない範囲において構成の種々の省略、置換または変更が可能である。
【００８７】
上記では、加重検出部１１が、物干し台１００の加重変化を検出するものとして説明したが、これに限定されない。加重検出部１１は、例えば、各住宅の雨どい、または、屋外の所望の位置に設置して、降雨時に雨水が付着することによる加重が増加する加重変化を検出してもよい。
【符号の説明】
【００８８】
１        情報集計解析システム
１０      情報送信装置
１１      加重検出部
１２      タイマ（時間計測部）
１３      ＧＰＳ受信部
１４      通信部
１５      送信部
１６      受信部
２０      制御部（情報送信制御装置）
２１      加重データ取得部
２２      時間情報取得部
２３      位置情報取得部
２４      解析部
２５      解析データ送信部
２６      通信制御部
３０      情報受信装置
３１      地図情報記憶部
３２      通信部
３３      送信部
３４      受信部
４０      制御部（情報受信制御装置）
４１      解析データ取得部
４２      地図情報取得部
４３      地図情報生成部
４４      集計解析部
４５      集計データ送信部
４６      通信制御部
【図１】
2020159769.tif 000003
【図２】
2020159769.tif 000004
【図３】
2020159769.tif 000005
【図４】
2020159769.tif 000006
【図５】
2020159769.tif 000007